(57)【要約】【課題】自動販売機の設置場所に、その周囲に余裕スペースがある場合に、製造コストの大幅な増加を招くことなく、断熱性能を向上させることができる自動販売機用の断熱装置を提供する。【解決手段】断熱庫を有する自動販売機１に後付け可能な自動販売機用の断熱装置３０であって、前面扉２を開閉自在に支持する自動販売機本体１０の天井面に沿って配設される天面板状断熱体３１と、自動販売機本体１０の各側面に沿って配設される左右の側面板状断熱体３２と、自動販売機本体１０の背面に沿って配設される背面板状断熱体３３とを有し、これらの板状断熱体３１〜３３を連結したことを特徴とする。この構成により、自動販売機１の設置場所の周囲にスペースがある場合には、自動販売機本体１０の天井面や側面、背面などに被せるようにして当該断熱装置３０を取り付けることで、断熱機能を向上させることができる。【選択図】図１
2010054140.tif 000002
【特許請求の範囲】
【請求項１】
断熱庫を有する自動販売機に後付け可能な自動販売機用の断熱装置であって、
前面扉を開閉自在に支持する自動販売機本体の天井面に沿って配設される天面板状断熱体と、
自動販売機本体の各側面に沿って配設される左右の側面板状断熱体と、
自動販売機本体の背面に沿って配設される背面板状断熱体と
を有し、
前記天面板状断熱体と前記左右の側面板状断熱体と前記背面板状断熱体とを連結した
ことを特徴とする自動販売機用の断熱装置。
【請求項２】
天面板状断熱体が少なくとも断熱庫の天井面部に対応する領域を覆い、左右の側面板状断熱体が少なくとも断熱庫の左右の側面部に対応する領域を覆い、背面板状断熱体が少なくとも断熱庫の背面部に対応する領域を覆う姿勢で配設されていることを特徴とする請求項１記載の自動販売機用の断熱装置。
【請求項３】
左右の側面板状断熱体の上辺部と背面板状断熱体の上辺部とが、それぞれ天面板状断熱体に連結されていることを特徴とする請求項１または２記載の自動販売機用の断熱装置。
【請求項４】
左右の側面板状断熱体の上辺部上面と天面板状断熱体の上面または側面とに沿って跨って配設された連結板とこの連結板を貫通して配設される連結ボルトとを介して、左右の側面板状断熱体と天面板状断熱体とが連結され、背面板状断熱体の上辺部上面と天面板状断熱体の上面または側面とに沿って跨って配設された連結板とこの連結板を貫通して配設される連結ボルトとを介して、背面板状断熱体と天面板状断熱体とが連結されていることを特徴とする請求項３記載の自動販売機用の断熱装置。
【請求項５】
天面板状断熱体に、自動販売機本体の背面に設けられた転倒防止部品固定用の固定用孔に係合する固定連結部品を、取り付け可能に構成したことを特徴とする請求項１〜４の何れか１項に記載の自動販売機用の断熱装置。
【請求項６】
側面板状断熱体および背面板状断熱体の少なくとも一部の板状断熱体を断熱庫よりも下方の位置まで延ばして形成し、この下方まで延ばした箇所を通して、前記板状断熱体の下部を自動販売機本体に固定する固定用ボルトを配設したことを特徴とする請求項１〜５の何れか１項に記載の自動販売機用の断熱装置。
【請求項７】
天面板状断熱体に、天面板状断熱体に降った雨水を背面側に流れ落とす凸部または凹部が形成されていることを特徴とする請求項１〜５の何れか１項に記載の自動販売機用の断熱装置。
【発明の詳細な説明】
【技術分野】
【０００１】
本発明は自動販売機用の断熱装置に関する。
【背景技術】
【０００２】
略上方から下方に蛇行状に延びる搬送通路に商品を収納して下方へ搬送し、搬送通路の下端部に臨ませて配設した商品払出機構によって、搬送通路の最下位の商品を順番に下方に払い出して販売する商品収納装置を備えた、いわゆるサーペンタイン式の自動販売機は広く知られている。このようなサーペンタイン式を含めた複数種類の自動販売機においては、商品を加温または冷却した状態、すなわち調温状態で販売している。このように調温状態で商品を販売する自動販売機においては、特許文献１、２などにも開示されているように、前面扉を開閉自在に支持する自動販売機本体内に、断熱構造の断熱庫（いわゆる内箱）を配設し、この断熱庫内に商品収納装置を収容している。そして、断熱庫内部の空気を冷凍サイクルの蒸発器などの冷却手段で冷却したり、ヒーターなどの加熱手段で加温したりして調温しており、適温に調温された商品を販売可能に構成している。ここで、断熱庫の断熱性能を向上させると、断熱庫内から断熱庫外への熱の漏洩を抑えることができて、ひいては自動販売機の省エネルギー化を図ることができる。
【０００３】
この種の自動販売機は、その幅寸法や奥行寸法がほぼ規格化されて所定の寸法に決められ、この規格寸法の制約の範囲内で製造されている。また、自動販売機は、商品をできるだけ多く販売できるように、商品収納装置などの商品収容部分に最大限のスペースを確保するよう図られている。
【特許文献１】特開２００７−１４８７０４号公報
【特許文献２】特開２００４−７０５８９号公報
【発明の開示】
【発明が解決しようとする課題】
【０００４】
しかしながら、上記従来構成の自動販売機では、断熱庫自体の配設スペース、すなわち断熱庫の断熱材の配設スペースがある程度限られているので、断熱性能をより向上させることが望ましいにもかかわらず、断熱庫自体（断熱庫の断熱材）の配設スペースを増加させて断熱性能を向上させる構成を採用することは困難である。また、断熱材として真空断熱材等の極めて高機能なものを使用することで断熱性能を向上させることは可能であるが、この場合には製造コストが極めて高価となってしまう欠点がある。
【０００５】
なお、上記したように、自動販売機はその幅寸法や奥行寸法がほぼ規格化されており、既設の自動販売機を、新たに設置する自動販売機に置き換える場合でも、できるだけ支障なく設置できるよう図られている。しかし一方で、自動販売機を設置する場所によっては、実際には、自動販売機の周囲のスペースに余裕がある場合がある。ところが、従来は、このように自動販売機の周囲に余裕スペースがあった場合でのスペースの有効活用は特に行われていなかった。
【０００６】
本発明は上記課題を解決するもので、自動販売機の設置場所に、その周囲に余裕スペースがある場合に、製造コストの大幅な増加を招くことなく、断熱性能を向上させることができる自動販売機用の断熱装置を提供することを目的とするものである。
【課題を解決するための手段】
【０００７】
上記課題を解決するために本発明は、断熱庫を有する自動販売機に後付け可能な自動販売機用の断熱装置であって、前面扉を開閉自在に支持する自動販売機本体の天井面に沿って配設される天面板状断熱体と、自動販売機本体の各側面に沿って配設される左右の側面板状断熱体と、自動販売機本体の背面に沿って配設される背面板状断熱体とを有し、前記天面板状断熱体と前記左右の側面板状断熱体と前記背面板状断熱体とを連結したことを特徴とする。
【０００８】
この構成により、自動販売機の設置場所の周囲にスペースがある場合には、自動販売機本体の天井面や側面、背面などに被せるようにして当該断熱装置を取り付けることで、自動販売機の断熱機能を向上させることができる。また、この断熱装置は、天面板状断熱体と左右の側面板状断熱体と背面板状断熱体とを連結しただけの簡単な構造であるので、安価な断熱材などを用いるなどしてコストの増加も最小限に抑えることができる。また、極めて簡単な構造であるので、どのような自動販売機に対しても容易に対応するものを形成できるとともに簡単に後付けすることができて、装着時の手間や時間も最小限に抑えることができる。
【０００９】
また、本発明は、天面板状断熱体が少なくとも断熱庫の天井面部に対応する領域を覆い、左右の側面板状断熱体が少なくとも断熱庫の左右の側面部に対応する領域を覆い、背面板状断熱体が少なくとも断熱庫の背面部に対応する領域を覆う姿勢で配設されていることを特徴とする。
【００１０】
この構成により、自動販売機の設置場所の周囲における余裕スペースを有効活用しながら、断熱装置により、自動販売機本体における少なくとも断熱庫に対応する箇所の断熱性能を向上させることができる。
【００１１】
また、本発明は、左右の側面板状断熱体の上辺部と背面板状断熱体の上辺部とが、それぞれ天面板状断熱体に連結されていることを特徴とする。また、左右の側面板状断熱体の上辺部上面と天面板状断熱体の上面または側面とに沿って跨って配設された連結板とこの連結板を貫通して配設される連結ボルトとを介して、左右の側面板状断熱体と天面板状断熱体とが連結され、背面板状断熱体の上辺部上面と天面板状断熱体の上面または側面とに沿って跨って配設された連結板とこの連結板を貫通して配設される連結ボルトとを介して、背面板状断熱体と天面板状断熱体とが連結されていることを特徴とする。
【００１２】
上記構成によれば、左右の側面板状断熱体および背面板状断熱体を天面板状断熱体に対して連結する構造としたので、簡単な構成で、天面板状断熱体と左右の側面板状断熱体と背面板状断熱体とを良好に連結することができる。
【００１３】
また、連結板や連結ボルトの一部が側面板状断熱体からさらに側方に突出したり、背面板状断熱体からさらに後方に突出したりすることなく、各板状断熱体同士を良好に連結することができる。したがって、左右や後方には側面板状断熱体や背面板状断熱体を配設するだけのスペースがあれば良好に断熱装置を後付けすることができる。しかも、側方や後方に連結板や連結ボルトの一部が突出しないので、側方や後方に隣接する自動販売機や壁などに、連結板や連結ボルトの一部が当接して損傷する恐れがない。
【００１４】
また、上記構成により、断熱装置を自動販売機に対して良好に装着することが可能となり、自動販売機に対しては、別途に取付用の孔を設けたり、固定用部品を取り付けたりしなくても固定することも可能である。これにより、別途に自動販売機に取付用孔を形成する手間を省くことができるとともに、取付用孔を形成することによる自動販売機の断熱庫の断熱性能の低下などを招くことがない。つまり、断熱装置を自動販売機に固定するために、別途に自動販売機に取付用孔を形成した場合には、その取付用孔が自動販売機の断熱庫の一部をなす断熱材を損傷するおそれがあり、損傷した場合には自動販売機の断熱庫の断熱性能が低下するおそれがある（この場合に、断熱庫の断熱材として真空断熱材などが設けられていた場合には、真空状態が破壊されると断熱性能が大きく低下する）。これに対して、本発明の構成によれば、このような不具合の発生を防止できる。
【００１５】
また、本発明は、天面板状断熱体に、自動販売機本体の背面に設けられた転倒防止部品固定用の固定用孔に係合する固定連結部品を、取り付け可能に構成したことを特徴とする。
【００１６】
この構成により、極めて簡単な構成でありながら、自動販売機用の断熱装置を自動販売機に容易に固定することができて、安全性も向上する。また、一般に自動販売機には転倒防止部品固定用の固定用孔が設けられているので、このように固定用孔が設けられている自動販売機に対しては、別途に取付用の孔を設けたり、固定用部品を取り付けたりしなくても固定することができる。これにより、別途に自動販売機に取付用孔を形成する手間を省くことができるとともに、取付用孔を形成することによる自動販売機の断熱庫の断熱性能の低下などを招くことがない。
【００１７】
また、本発明の自動販売機用の断熱装置は、側面板状断熱体および背面板状断熱体の少なくとも一部の板状断熱体を断熱庫よりも下方の位置まで延ばして形成し、この下方まで延ばした箇所を通して、前記板状断熱体の下部を自動販売機本体に固定する固定用ボルトを配設したことを特徴とする。
【００１８】
この構成により、固定用ボルトの先端を自動販売機本体にねじ込んで取り付けた際に、固定用ボルトの先端が、断熱庫の側面や背面に設けられている断熱材に入り込んで断熱性能が低下することを防止できて、断熱性能を良好に維持することができる。
【００１９】
また、本発明の自動販売機用の断熱装置は、天面板状断熱体に、天面板状断熱体に降った雨水を背面側に流れ落とす凸部または凹部が形成されていることを特徴とする。
この構成により、自動販売機を屋外に設置して、雨が降った場合でも、凸部または凹部により雨水が背面側に流れ落ちることとなり、雨水が前面扉側に流れ落ちることを防止できる。したがって、利用者に自動販売機の天井面から流れ落ちる雨水がかかることを防止できる。また、天井面から流れ落ちる雨水が接客面である前面扉をつたって流れ落ちることを防止することができるため、雨水の流れ跡が前面扉につくことを最小限に抑えることができて、前面扉を比較的汚れの無い状態に維持することができる。
【発明の効果】
【００２０】
本発明の断熱装置によれば、断熱庫を有する自動販売機に後付け可能であるので、自動販売機の設置場所の周囲にスペースがある場合に、当該断熱装置を取り付けることで、自動販売機の断熱機能を向上させることができ、スペースの有効活用ができる。また、この断熱装置は、天面板状断熱体と左右の側面板状断熱体と背面板状断熱体とを連結しただけの簡単な構造であるので、安価な断熱材などを用いるなどしてコストの増加も最小限に抑えることができる。また、極めて簡単な構造であるので、どのような自動販売機に対しても容易に対応するものを形成できるとともに簡単に後付けすることができて、装着時の手間や時間も最小限に抑えることができる。
【００２１】
また、断熱装置により、断熱庫に対応する領域を覆うことで、自動販売機の設置場所の周囲における余裕スペースを有効活用しながら、自動販売機自体の断熱性能を良好に維持することができる。
【００２２】
また、左右の側面板状断熱体および背面板状断熱体を天面板状断熱体に対して連結する構造とすることによって、簡単な構成で、天面板状断熱体と左右の側面板状断熱体と背面板状断熱体とを良好に連結することができる。
【００２３】
さらに、板状断熱体同士を連結する連結板を、天面板状断熱体の上面と左右の側面板状断熱体の上辺部上面とに沿って跨って配設させたり、天面板状断熱体の上面と背面板状断熱体の上辺部上面とに沿って跨って配設させたりすることで、連結板やこれらの連結板を貫通する連結ボルトの頭部が、側面板状断熱体よりもさらに側方に突出したり、背面板状断熱体よりもさらに後方に突出したりすることを防止できて、余分なスペースを最小限に抑えることができるとともに、これらの連結板や連結ボルトの頭部が、隣接する自動販売機や壁などに当接して損傷することもなく、この結果、信頼性も向上する。
【００２４】
また、断熱装置を自動販売機に対して良好に装着することが可能となり、自動販売機に対しては、別途に取付用の孔を設けたり、固定用部品を取り付けたりしなくても固定することも可能である。これにより、別途に自動販売機に取付用孔を形成する手間を省くことができるとともに、取付用孔を形成することによる自動販売機の断熱庫の断熱性能の低下などを招くことがない。
【００２５】
また、天面板状断熱体に、自動販売機本体の背面に設けられた転倒防止部品固定用の固定用孔に係合する固定連結部品を、取り付け可能に構成することにより、極めて簡単な構成でありながら、自動販売機用の断熱装置を自動販売機に容易に固定することができて、安全性が向上する。また、別途に固定用の孔を設けなくても済むので、別途に孔を形成することによる自動販売機の断熱庫の断熱性能の低下などを招くことがなく、信頼性が向上する。
【００２６】
また、天面板状断熱体に、天面板状断熱体に降った雨水を背面側に流れ落とす凸部または凹部を形成することにより、雨が降った場合でも、利用者に自動販売機の天井面から流れ落ちる雨水がかかることを防止でき、利用者への信頼性が向上する。また、天井面から流れ落ちる雨水が接客面である前面扉をつたって流れ落ちることを防止することができるため、雨水の流れ跡が前面扉につくことを最小限に抑えることができて、前面扉を比較的汚れの無い状態に維持することができ、自動販売機の前面扉の美観を良好に維持することができる。
【発明を実施するための最良の形態】
【００２７】
以下、本発明の実施の形態に係る自動販売機用の断熱装置を、図面に基づき説明する。なお、図１は本発明の実施の形態に係る自動販売機用の断熱装置を自動販売機に装着した状態を示す全体斜視図、図２は同自動販売機用の断熱装置の分解斜視図、図３（ａ）および（ｂ）は同断熱装置を装着した自動販売機の平面図および正面図、図３（ｄ）および（ｅ）はそれぞれ同断熱装置を装着した自動販売機の背面図（但し、図３（ｄ）は同断熱装置の天面板状断熱体のみ装着した状態を示す）、図３（ｃ）は同断熱装置の天面板状断熱体の斜視図、図３（ｆ）は同断熱装置の側面板状断熱体の斜視図、図４（ａ）〜（ｃ）は同断熱装置の板状断熱体単体の分解斜視図、平面断面図および他の実施の形態に係る板状断熱体単体の平面断面図、図５は自動販売機の全体正面図、図６は自動販売機の全体側面断面図、図７は前面扉を開けた状態の自動販売機の斜視図である。
【００２８】
まず、図５〜図７などにより本発明の自動販売機用の断熱装置を装着する自動販売機の構造について簡略的に説明する。
図５〜図７などに示すように、自動販売機１は、前面扉２と、この前面扉２を開閉自在に支持する自動販売機本体１０とから構成され、前面扉２には、商品見本４や商品選択押釦５などが配設されている接客面部６、商品が払い出される商品取出口７などが設けられている。自動販売機本体１０は、上部から中央にかけて、断熱構造で箱枠型の断熱庫（いわゆる内箱）１１が設けられ、さらに、断熱庫１１内（いわゆる庫内）が、上下方向および奥行方向に延びる断熱板状の仕切板１２で仕切られて、複数の断熱収納空間としての断熱室１３が形成され、この断熱室１３内に商品が収納された商品収納装置１４が配設されている。なお、例えば、商品収納装置１４としては、略上方から下方に蛇行状に延びる搬送通路に商品を収納して下方へ搬送し、搬送通路の下端部に臨ませて配設した商品払出機構によって、搬送通路の最下位の商品を順番に下方に払い出して販売するいわゆるサーペンタイン式のものでもよいが、これに限るものではなく、単に商品を下方から上方に直積み状態で収納するいわゆる直積み式のものでもよい。各断熱室１３には、断熱室１３内の空気を加温するヒーター１５や断熱室１３内の空気を冷却する冷凍サイクルの蒸発器１６などが配設されている。なお、１７は、断熱性を有して、断熱庫１１の前面開口部を開閉する内扉、１８は商品収納装置１４から排出された商品を商品取出口７側に案内するシュートである。
【００２９】
自動販売機１および自動販売機本体１０は、箱型（角型）形状とされており、自動販売機本体１０の外枠部は、図２、図３に示すように、天井面１０ａ、左右の側面１０ｂ、１０ｃ、背面１０ｄなどを有する。また、断熱庫１１も、天井面１１ａ、左右の側面１１ｂ、１１ｃ、背面１１ｄなどを有するが、この実施の形態では、断熱庫１１の天井面１１ａ、左右の側面１１ｂ、１１ｃ、背面１１ｄなどは、自動販売機本体１０の天井面１０ａ、左右の側面１０ｂ、１０ｃ、背面１０ｄと共通化されている。詳しくは、断熱庫１１の天井面１１ａは自動販売機本体１０の天井面１０ａそのものであり、断熱庫１１の左右の側面１１ｂ、１１ｃおよび背面１１ｄは、自動販売機本体１０の庫外以外の箇所で共通化されており、断熱庫１１の底面部１１ｅ（図６参照）のみ別個に設けられている。
【００３０】
自動販売機本体１０における断熱庫１１よりも下方の空間は、外気が出入り可能な庫外２１とされ、冷凍サイクルの圧縮機２２や凝縮器２３などが配設されている。
図１、図３などにおける３０は、自動販売機１に後付け可能な本発明の実施の形態に係る自動販売機用の断熱装置（以下、単に断熱装置と称す）である。断熱装置３０は、自動販売機本体１０の天井面１０ａに沿って、少なくとも断熱庫１１の天井面部１１ａに対応する領域を覆う姿勢で配設される天面板状断熱体３１と、自動販売機本体１０の各側面１０ｂ、１０ｃに沿って、少なくとも断熱庫１１の側面部１１ｂ、１１ｃに対応する領域を覆う姿勢で配設される左右の側面板状断熱体３２と、自動販売機本体１０の背面１０ｄに沿って、少なくとも断熱庫１１の背面部１１ｄに対応する領域を覆う姿勢で配設される背面板状断熱体３３とを有している。そして、天面板状断熱体３１と左右の側面板状断熱体３２と背面板状断熱体３３とが、連結手段の一例としての複数の連結板３４（３４Ａ〜３４Ｃ）および連結ボルト３５（３５Ａ〜３５Ｃ）により、連結されている。
【００３１】
断熱装置３０の天面板状断熱体３１の上面部と左右の側面板状断熱体３２の上辺部上面と背面板状断熱体３３の上辺部上面とは、略同一面となるように配設されている。そして、断熱装置３０の側面板状断熱体３２は、その上辺部で、前記同一面（天面板状断熱体３１の上面部と側面板状断熱体３２の上辺部上面）に沿って跨って配設された金属板などの連結板３４Ａ、３４Ｂと、これらの連結板３４Ａ、３４Ｂを下方に貫通して配設された連結ボルト３５Ａ、３５Ｂとを介して、天面板状断熱体３１の側辺部が合わされた状態で連結されている。また、断熱装置３０の背面板状断熱体３３は、その上辺部で、前記同一面（天面板状断熱体３１の上面部と背面板状断熱体３３の上辺部上面）に沿って跨って配設された金属板などの連結板３４Ｃと、この連結板３４Ｃを下方に貫通して配設された連結ボルト３５Ｃを介して、天面板状断熱体３１の後辺部が合わされた状態で連結されている。
【００３２】
また、自動販売機本体１０の背面１０ｄの上部には、転倒防止用の固定部品（例えば転倒防止用チェーンなど）を固定するための固定用孔４１（図３（ｄ）参照）が左右に１つずつ設けられている。そして、この固定用孔４１を利用して、自動販売機本体１０に断熱装置３０の天面板状断熱体３１を取り付ける連結ボルト３５Ｄを螺合できるように構成され、連結板３４Ｄと連結ボルト３５Ｄとを介して、自動販売機本体１０に天面板状断熱体３１を、ひいては、自動販売機本体１０に断熱装置３０を取り付けて固定するよう構成されている。なお、４３は、各連結ボルト３５Ａ〜３５Ｄを捩じ込むための螺合孔である。
【００３３】
ここで、断熱装置３０の各板状断熱体３１、３２、３３は、図４に示すように、例えば、弁当箱形状の２枚の金属枠３６の間の四辺箇所に、発泡スチロール製などの断熱枠辺部３７を組み付けた状態で、これらの金属枠３６および断熱枠辺部３７の内部に、発泡断熱材３８を注入することにより構成する。または、これに代えて、対となった金属枠３６の間に断熱ボード３９を配設することにより構成する。また、金属枠３６同士は、熱移動しないように隙間をあけた状態で組み付けることが好ましい。なお、図４における３６ａ、３７ａは、発泡断熱材３８を注入する際の注入口である。また、各板状断熱体３１、３２、３３は、断熱性を有する構造であればよく、このような構造に限るものではない。
【００３４】
断熱装置３０の各板状断熱体３２、３３の下部は例えば両面テープなどを用いて、自動販売機本体１０の側面１０ｂ、１０ｃや背面１０ｄに固定すればよいが、固定用ボルト４２を用いて、自動販売機本体１０の側面１０ｂ、１０ｃや背面１０ｄに固定してもよい。但し、この場合には、自動販売機本体１０の側面１０ｂ、１０ｃや背面１０ｄを、断熱庫１１の側面１１ｂ、１１ｃや背面１１ｄに対応する箇所よりも下方まで延ばして形成し、固定用ボルト４２が断熱庫１１の側面１１ｂ、１１ｃや背面１１ｄに設けられている断熱材に入り込んで断熱性能が低下することが無いように構成する。また、この場合には、固定用ボルト４２の頭部が、側方や後方に突出しないように、断熱装置３０の各板状断熱体３１、３２、３３の下部における固定用ボルト４２が配設される箇所には、固定用ボルト４２の頭部を収容する凹部４６を形成することが望ましい。
【００３５】
また、断熱装置３０における左右の側面板状断熱体３２の下端部と背面板状断熱体３３の下端部とを、連結ブラケット４４および連結ボルト４５を用いて連結すると、側面板状断熱体３２と背面板状断熱体３３との結合がより強固となって好ましい。また、この場合に、図３（ａ）に示すように、側面板状断熱体３２の後面箇所が、自動販売機本体１０の背面１０ｄと同一面となるような位置までしか後方に延びていない形状とし、図３（ａ）、（ｅ）に示すように、背面板状断熱体３３の側面と、側面板状断熱体３２の後面との間に形成された窪み部分に、連結ブラケット４４が収容されるような断面略Ｌ字形状として、連結ブラケット４４や連結ボルト４５の頭部が側方や後方に突出しないよう構成するとより好適である。
【００３６】
上記構成において、自動販売機１を設置した状態で、自動販売機１の周囲にスペースがある場合には、自動販売機１に上記断熱装置３０を、自動販売機本体１０の天井面１０ａや側面１０ｂ、１０ｃ、背面１０ｄなどに被せるようにして後付けすることができる。これにより、自動販売機本体１０の断熱庫１１が有する断熱機能に加えて、断熱装置３０の断熱機能が付加されるため、自動販売機１の断熱機能を大幅に向上させることができて省エネルギー化を図ることができるとともにスペースの有効活用ができる。また、この断熱装置３０は、天面板状断熱体３１と左右の側面板状断熱体３２と背面板状断熱体３３とを連結しただけの簡単な構造であるので、安価な断熱材などを用いるなどして断熱装置３０を付加することによる追加コストも最小限に抑えることができる。また、極めて簡単な構造であるので、各種の自動販売機に対して対応するものを比較的容易に形成できるとともに簡単に後付けすることができる。また、装着時には、連結板３４Ａ〜３４Ｄや連結ボルト３５Ａ〜３５Ｄ、固定用ボルト４２を用いて取り付けるだけでよいので、装着時の手間や時間も最小限に抑えることができる。
【００３７】
また、上記構成によれば、左右の側面板状断熱体３２および背面板状断熱体３３を天面板状断熱体３１に対して連結する構造としたので、簡単な構成で、天面板状断熱体３１と左右の側面板状断熱体３２と背面板状断熱体３３とを良好に連結することができる。
【００３８】
さらに、上記構成によれば、連結板３４Ａ〜３４Ｃが、天面板状断熱体３１の上面と左右の側面板状断熱体３２の上辺部上面とに沿って跨って配設されたり、天面板状断熱体３１の上面と背面板状断熱体３３の上辺部上面とに沿って跨って配設されたりしているので、連結板３４Ａ〜３４Ｃやこれらの連結板３４Ａ〜３４Ｃを貫通する連結ボルト３５Ａ〜３５Ｃの頭部は、天面板状断熱体３１の上面および側面板状断熱体３２の上辺部上面、背面板状断熱体３３の上辺部上面から上方に突出するだけである。つまり、連結板３４Ａ〜３４Ｃを側面板状断熱体３２の側面や背面板状断熱体３３の後面（背面）に沿わせて配置した場合には、連結板３４Ａ〜３４Ｃや連結ボルト３５Ａ〜３５Ｃの頭部が、側面板状断熱体３２よりもさらに側方に突出したり、背面板状断熱体３３よりもさらに後方に突出したりし、その分だけ余分なスペースを必要とするとともに、これらの連結板３４Ａ〜３４Ｃや連結ボルト３５Ａ〜３５Ｃの頭部が、隣接する自動販売機や壁などに当接して損傷する恐れがある。これに対して、上記構成によれば、連結板３４Ａ〜３４Ｃやこれらの連結板３４Ａ〜３４Ｃを貫通する連結ボルト３５Ａ〜３５Ｃの頭部は、天面板状断熱体３１の上面および側面板状断熱体３２の上辺部上面、背面板状断熱体３３の上辺部上面から上方に突出するだけであるので、何ら支障をきたさない。すなわち、自動販売機１の設置箇所では、自動販売機１の幅寸法や奥行寸法に対しては、スペースが限られる場合があるが、一般に、高さ方向（すなわち、自動販売機の天井面の直上箇所）には、自由に使用できるスペースがある場合が多いため、連結板３４Ａ〜３４Ｃや連結ボルト３５Ａ〜３５Ｃの頭部は厚み分だけ上方に突出するだけであり、連結板３４Ａ〜３４Ｃや連結ボルト３５Ａ〜３５Ｃの頭部が、隣接する自動販売機や壁などに当接して損傷する恐れがなく、何ら支障をきたすことが無い。
【００３９】
また、上記構成によれば、断熱装置３０における左右の側面板状断熱体３２の下端部と背面板状断熱体３３の下端部とを、連結ブラケット４４および連結ボルト４５を用いて連結する場合でも、上記構成を採用することで、連結ブラケット４４および連結ボルト４５の頭部が側面板状断熱体３２や背面板状断熱体３３よりも側方や後方に突出しないので、これによっても、隣接する自動販売機や壁などに当接して損傷することが防止される。また、上記のように、側面板状断熱体３２の下部や背面板状断熱体３３の下部を自動販売機本体１０に固定用ボルト４２を用いて固定する場合に、断熱装置３０の各板状断熱体３２、３３の下部における固定用ボルト４２が配設される箇所に、固定用ボルト４２の頭部を収容する凹部４６を形成することにより、固定用ボルト４２の頭部が、側方や後方に突出させないことができて、これによっても、隣接する自動販売機や壁などに当接して損傷する恐れがなくなる。
【００４０】
また、断熱装置３０の各板状断熱体３１、３２、３３の下部を固定する固定用ボルト４２を自動販売機本体１０にねじ込んで固定する場合には、各板状断熱体３１、３２、３３の下部を、断熱庫１１の側面１１ｂ、１１ｃや背面１１ｄに対応する箇所よりも下方まで延ばして形成して、この延ばした箇所に固定用ボルト４２の先端をねじ込むことで、固定用ボルト４２が断熱庫１１の側面１１ｂ、１１ｃや背面１１ｄに設けられている断熱材に入り込んで断熱性能が低下することが無く、断熱性能が良好に維持される。
【００４１】
また、上記構成によれば、天面板状断熱体３１に、自動販売機本体１０の背面１０ｄに設けられた転倒防止部品固定用の固定用孔４１に係合する固定連結部品としての固定用ボルト４２を、取り付け可能に構成したので、極めて簡単な構成でありながら、自動販売機用の断熱装置３０を自動販売機１に容易に固定することができて、安全性も向上する。また、一般に自動販売機１にはチェーンなどの転倒防止部品固定用の固定用孔４１が設けられているので、このように固定用孔４１が設けられている自動販売機１に対しては、転倒防止部品を使用しない場合には、別途に固定用孔を設けたり、固定用部品を取り付けたりしなくても固定することができる。これにより、別途に自動販売機１に固定用孔を形成する手間を省くことができるとともに、固定用孔を形成することで自動販売機１の断熱庫１１の断熱性能の低下などを招くことがない。つまり、断熱装置３０を自動販売機１に固定するために、別途に自動販売機１に固定用孔を形成した場合には、その固定用孔が自動販売機１の断熱庫１１の一部をなす断熱材を損傷するおそれがあり、損傷した場合には自動販売機１の断熱庫１１の断熱性能が低下するおそれがある（この場合に、断熱庫１１の断熱材として真空断熱材などが設けられていた場合には、真空状態が破壊されると断熱性能が大きく低下する）。これに対して、本発明の構成によれば、このような不具合の発生を防止でき、かつ、断熱装置３０として、天面板状断熱体３１より上方に突出することを防止できる。
【００４２】
なお、上記実施の形態では、断熱装置３０の天面板状断熱体３１の上面部と左右の側面板状断熱体３２の上辺部上面と背面板状断熱体３３の上辺部上面とを、略同一面となるように配設したので、自動販売機本体１０の上部左右の角部箇所も、側面板状断熱体３２の上辺部分により良好に覆うことができて、良好な断熱性能を得ることができる。しかしながら、これに限るものではなく、断熱性能は多少劣るものの、図８に示すように、左右の側面板状断熱体３２の上辺部上面と背面板状断熱体３３の上辺部上面とを、自動販売機本体１０の天井面１０ａと同じ高さまでしか設けないよう構成することも可能である。またこの場合には、側面板状断熱体３２と天面板状断熱体３１とを連結する連結板３４Ａ、３４Ｂを、一方の辺が側面板状断熱体３２の上辺部上面に沿い、他方の辺が天面板状断熱体３１の左右の側面に沿う断面略Ｌ字形状のものを用いたり、背面板状断熱体３３と天面板状断熱体３１とを連結する連結板３４Ｃを、一方の辺が背面板状断熱体３３の上辺部上面に沿い、他方の辺が天面板状断熱体３１の後面に沿う断面略Ｌ字形状のものを用いたりすればよく、これによっても、連結板３４Ａ〜３４Ｃや連結ボルト３５Ａ〜３５Ｃの頭部が、側面板状断熱体３２や背面板状断熱体３３よりもさらに側方や後方に突出することを防止できる。また、断熱装置３０の天面板状断熱体３１から連結板３４Ａ〜３４Ｃや連結ボルト３５Ａ〜３５Ｃの頭部が上方に突出することを防止できる効果も有する。
【００４３】
図９は本発明の他の実施の形態を示すもので、図９に示すように、この断熱装置３０においては、天面板状断熱体３１の上面（天面）部分に、天面板状断熱体３１に降った雨水を背面側に流れ落とす凸部５１が形成されている。この凸部５１は、天面板状断熱体３１の上面（天面）における前辺に近い箇所と左右の側辺に近い箇所とをつなぐような、平面視略コ字形状に形成されている。なお、この実施の形態では、天面板状断熱体３１の凸部５１の後方に続くように、背面板状断熱体３３の上面部分にも凸部５１’が形成され、背面板状断熱体３３の背面側に流れ落ちるよう構成されているが、これに限るものではない。
【００４４】
この構成によれば、自動販売機１が屋外に設置されて、雨が降った場合でも、断熱装置３０の天面板状断熱体３１上に降った雨水が凸部５１により前面扉２側に移動することが阻止され、雨水が背面側だけに流れ落ちる。これにより、利用者に断熱装置３０の天面板状断熱体３１から流れ落ちる雨水がかかることを防止できる。また、断熱装置３０の天面板状断熱体３１上に降った雨水が接客面である前面扉２をつたって流れ落ちることも防止できるため、雨水の流れ跡が前面扉２につくことを最小限に抑えることができて、前面扉２を比較的汚れの無い状態に維持することができる。
【００４５】
なお、上記の実施の形態では、凸部５１を形成して雨水が前面扉２側に流れることを阻止して背面側に流れ落とす場合を述べたが、これに限るものではなく、同様の箇所に、図１０に示すように、凸部５１に代えて凹部５２（および凹部５２’）を形成し、この凹部５２（および凹部５２’）により、天面板状断熱体３１上に降った雨水を積極的に後方に導いて流れ落とすように構成してもよい。
【００４６】
なお、上記実施の形態では、断熱装置３０の天面板状断熱体３１を、転倒防止用固定部品を固定するための固定用孔４１を利用して、連結ボルト３５Ｄを螺合することで固定させる場合を述べたが、これに限るものではなく、天面板状断熱体３１を、両面テープなどを用いて、自動販売機本体１０の天井面１０ａに固定してもよく、この場合でも、別途に固定用孔を設けたり、固定用部品を取り付けたりしなくても固定することができる。これにより、別途に自動販売機１に固定用孔を形成する手間を省くことができるとともに、固定用孔を形成することで自動販売機１の断熱庫１１の断熱性能の低下などを招くことがない。
【図面の簡単な説明】
【００４７】
【図１】本発明の実施の形態に係る自動販売機用の断熱装置を自動販売機に装着した状態を示す全体斜視図である。
【図２】同自動販売機用の断熱装置の分解斜視図である。
【図３】（ａ）および（ｂ）は同自動販売機用の断熱装置を装着した自動販売機の平面図および正面図、（ｄ）および（ｅ）はそれぞれ同断熱装置を装着した自動販売機の背面図（但し、（ｄ）は同断熱装置の天面板状断熱体のみ装着した状態を示す）、（ｃ）は同断熱装置の天面板状断熱体の斜視図、（ｆ）は同断熱装置の側面板状断熱体の斜視図である。
【図４】（ａ）〜（ｃ）は同断熱装置の板状断熱体単体の斜視図、平面断面図および他の実施の形態に係る板状断熱体単体の平面断面図である。
【図５】図５は自動販売機の全体正面図である。
【図６】自動販売機の全体側面断面図である。
【図７】前面扉を開けた状態の自動販売機の斜視図である。
【図８】（ａ）および（ｂ）は本発明の他の実施の形態に係る自動販売機用の断熱装置を自動販売機に装着した状態を示す正面図および側面図である。
【図９】本発明のその他の実施の形態に係る自動販売機用の断熱装置および自動販売機を示す全体斜視図である。
【図１０】本発明のさらに他の実施の形態に係る自動販売機用の断熱装置および自動販売機を示す全体斜視図である。
【符号の説明】
【００４８】
１      自動販売機
２      前面扉
１０    自動販売機本体
１１    断熱庫（内箱）
３０    断熱装置
３１    天面板状断熱体
３２    側面板状断熱体
３３    背面板状断熱体
３４、３４Ａ〜３４Ｄ    連結板
３５、３５Ａ〜３５Ｄ    連結ボルト
４２    固定用ボルト
４４    連結ブラケット
４５    連結ボルト
【図１】
2010054140.tif 000003
【図２】
2010054140.tif 000004
【図３】
2010054140.tif 000005
【図４】
2010054140.tif 000006
【図５】
2010054140.tif 000007
【図６】
2010054140.tif 000008
【図７】
2010054140.tif 000009
【図８】
2010054140.tif 000010
【図９】
2010054140.tif 000011
【図１０】
2010054140.tif 000012